(57)【要約】  【課題】  保持器とエンドカバーの収納溝との間の取り付け、取り外しが容易であるリニアガイドウェイの保持器定位構造を提供する。  【解決手段】  保持器は、長条状ブロック体を成し、その長い側面が円弧状の案内部に形成され、その両端にそれぞれ突出する凸部を設置し、各凸部は、その一側辺の底端が下方向に突出する係止ブロック部が形成され、各保持器の両端が両エンドカバー間に挿設され、各エンドカバーが各保持器に対応する凸部に収納溝を設け、各収納溝が各凸部に対応する係止ブロック部に対応する係止ブロック部を嵌入するための係止溝部が形成され、保持器は両エンドカバーに装設可能で、保持器の係止ブロック部とエンドカバー収納溝の係止溝部により互いに係止して定位または外しやすくなる構造の設計によって、保持器の取り付けまたは取り外し便利になる。【選択図】  図５Ｂ
2008128309.tif 000002
【特許請求の範囲】
【請求項１】
リニアガイドウェイの保持器定位構造であって、該リニアガイドウェイのスライダの両側のエンドがバーの間に両保持器を設け、保持器は長条状ブロック体を成し、その長い側面が円弧状の案内部に形成され、その両端にそれぞれ突出する凸部を設置し、各凸部はその一側辺の底端が下方向に突出する係止ブロック部を形成され、各エンドカバーが各保持器に対応する凸部に収納溝を備え、各収納溝には対応する各凸部の係止ブロック部を嵌入させるための凹んだ係止溝部が形成されており、各エンドカバーの両収納溝の間に凹んだ入口を形成して前記両収納溝と連通することを特徴とするリニアガイドウェイの保持器定位構造。
【請求項２】
前記保持器の両末端の凸部は、前記係止ブロック部が設けられた端に保持器本体との間が間隙を持つように設けられ、この端が上下動する可動端として形成され、前記係止ブロック部の後側にさらに下方向へ延伸するプッシュブロックを設け、該プッシュブロックが収納溝の外側に位置されることを特徴とする請求項１記載のリニアガイドウェイの保持器定位構造。
【請求項３】
前記保持器のいずれか一方の末端の凸部は、前記係止ブロック部が設けられた端に保持器本体との間が間隙を持つように設けられ、この端が上下動する可動端として形成され、前記係止ブロック部の後側にさらに下方向へ延伸するプッシュブロックを設け、該プッシュブロックが収納溝の外側に位置されることを特徴とする請求項１記載のリニアガイドウェイの保持器定位構造。
【請求項４】
前記エンドカバーと両保持器との対向面は、突起したフレームを形成し、該フレームの底端を連結しないように凹んだ入口の形状に形成され、入口の両側のフレームにおいて、それぞれ収納溝を形成して入口と両収納溝とを連通させ、各収納溝の内側に斜溝部を形成し、さらに各収納溝の入口に近い部位に凹んだ係止溝部を形成することを特徴とする請求項１または２に記載のリニアガイドウェイの保持器定位構造。
【請求項５】
リニアガイドウェイの保持器であって、長条状ブロック体を成し、その長い側面が円弧状の案内部に形成され、その両端にそれぞれ突出する凸部を設置し、各凸部の一側辺の底端が下方向に突出する係止ブロック部を形成することを特徴とする保持器。
【発明の詳細な説明】
【技術分野】
【０００１】
本発明は、リニアガイドウェイの保持器定位構造及びその保持器に関し、より詳細には、保持器の両末端の凸部によりスライダの両側にあるエンドカバーの収納溝内に挿設され、保持器の凸部とエンドカバーの収納溝間に備えられた互いに係止して定位または離脱しやすい構造の設計により、保持器を便利に取り付け取り外すことができるリニアガイドウェイの保持器定位構造及びその保持器に関する。
【背景技術】
【０００２】
図１に示されるように、従来のリニアガイドウェイにおける長方状シート状の保持器１０は、その両側にそれぞれ貫通するくり貫け部１１、１２が設けられ、、両くり貫け部１１、１２の間が細長く貫通した溝孔１３を連通する。この細長い溝孔１３に対応する他の両側は、それぞれ通孔１４、１５を設け、保持器１０の短尺部の外側にそれぞれ突条１０１、１０２が設けられている。前記の両突条１０１、１０２は、スライダ２０の両側に固定されたエンドカバー（図示せず）により係止して固定される。保持器１０の長尺部の側面は、それぞれ円弧状に形成される案内部１６、１７である。さらに、図２Ａ、Ｂ、Ｃを合わせて参照するように、細長い溝孔１３と両通孔１４、１５の間の底部にそれぞれ引掛部１８、１９が設けられる。保持器１０の両通孔１４、１５は、工具（図示せず）により挿設した後、全保持器１０の長い側の中間位置を中心方向へ内縮して変形させることで、両引掛部１８、１９が引掛けられる。これらの両案内部１６、１７とスライダ２０に対応する回転路２０１、２０２間の距離は、ボール２１の直径より大きく形成することによって、この部位からリニアガイドウエイの必要なボール２１を装填することができる。ボールの装填が終わると、再び、両引掛部１８、１９を離脱させると、保持器１０の長い側の中間位置が元の位置に戻り、両案内部１６、１７とスライダ２０の対応する回転路２０１、２０２の間の距離がボール２１の直径より小さくなってボール２１が脱落しなくなる。しかし、従来の保持器１０は、収縮変形しやすくするために、変形しやすい材質を選用しなければならならず、そのため、両案内部１６、１７が変形しやすくなり、ボール２１を導正する機能を発揮できなかった。また、変形し難い材質を選用すると、保持器１０の長い側の中間位置が収縮変形し難くなり、ボールの装着が困難となる。
【発明の開示】
【発明が解決しようとする課題】
【０００３】
前記の従来のリニアガイドウェイの問題を鑑みて、本願の発明者は、これにかかる製品について、長年の研究開発の経験を生かし、研究を重ねて設計改良つつ、その上、サンプルを作って実験を繰り返す上で、さらに改良して漸く下記の目的を達成し得る本発明を案出したものである。
【０００４】
即ち、本発明は、主に、スライダの両側のボールの回転を案内する保持器が両独立した長条体に設けられ、該保持器の両末端がスライダの両側に位置するエンドカバーの収容槽内に挿設されたり、保持器とエンドカバーの収納溝の間にある互いに係止して定位または離脱しやすい構造を設計することにより、保持器を便利に取り付け、取り外すことができるリニアガイドウェイの保持器定位構造及びその保持器を提供しようとするものである。
【課題を解決するための手段】
【０００５】
前記発明の目的を達成するために、本発明の改良特徴として、リニアガイドウェイの保持器は、長条状ブロック体を成し、その長い側面が円弧状の案内部に形成され、その両端にそれぞれ突出する凸部を設置する。各凸部はその一側辺の底端が下方向に突出する係止ブロック部が形成され、該両係止ブロック部が同じ側に位置され、かつ対向している。前記保持器の凸部に係止ブロック部の他端を設け、保持器本体との間が間隙を持つように設けられ、他端を上下移動可能な可動端とする。該係止ブロック部の後側がさらに下方向へ延伸するプッシュブロックに形成される。リニアガイドウェイのスライダの両端には以下の順序に還流素子、エンドカバー、スクレーパなどの素子がそれぞれ設けられ、両保持器がスライダ内の頂面に密接し、かつ各保持器の両端は、両エンドカバーの間に挿設され、各エンドカバーが各保持器の凸部に対応する部位は、収納溝が設けられ、各収納溝が各凸部に対応する係止ブロック部は、対応する係止ブロック部の嵌入に供するための係止溝部が形成される。各エンドカバーの両収納溝の間は、凹んだ入口を設け両収納溝とを連通する。
【発明の効果】
【０００６】
本発明によれば、保持器を、剛性の優れた材質を選用して製作でき、材質の変形し難い特性により、ボールを導正するにより大きい回転効果が発揮でき、また、取り付け、取り外しを行いやすく、ボールが損耗されてもボールの交換を行いやすくなる。
【発明を実施するための最良の形態】
【０００７】
審査官、または当該技術分野の者が本発明をより具体的に理解するためには、より好ましい実施例として、下記のように詳しく説明する（ただし、本実施例は、単に便利に説明するためのもので、本発明に関する如何なる日後の実施は、これに限らず、本発明の技術特徴によりなされた如何なる改良実施の何れも本発明に拘束されるものである。）。
【実施例１】
【０００８】
図３乃至図６に示すように、本発明の保持器４０は、スライダ３０の両端のエンドカバー３２、３４の間に挿設される。各エンドカバー３２、３４とスライダ３０との相対的側面間は、さらに還流素子３３（エンドカバー３２とスライダ３０と間の還流素子、図示せず）を挟設して各エンドカバー３２、３４の他側面に、さらに、それぞれスクレーパ３１、３５が設けられ、前記の各素子を組み付けた後、スライドウェイ６０上に嵌設してスライドウェイ６０の上に往復動することができる。図６のエンドカバー３４の拡大図を参照するように、（以下、エンドカバー３４のみにより説明する）エンドカバー３２、３４と保持器４０との対向面に突起したフレーム３４５が形成され、フレーム３４５の底端は、連結しないように、凹んだ入口３４１が形成される。入口３４１の両側のフレーム３４５に、それぞれ収納溝３４２、３４２’を形成し、入口３４１と両収納溝３４２、３４２’とは連通されている。各収納溝３４２、２４２’の内側に斜溝部３４３、３４３’を形成し、各収納溝３４２、３４２’の入口３４１に近い底部には、さらに凹んだ係止溝部３４４、３４４’が形成される。両エンドカバー３２、３４の両対向する収納溝間にそれぞれ保持器４０が挿設され、両保持器４０がスライダ３０の内頂面に密接している。また各保持器４０は、長条状ブロック体を成し、その両末端がそれぞれ突出した凸部４１を形成する。各保持器４０がスライダ３０の回転路３０１、３０２に対応する長い側辺は、円弧面の案内部４４に形成され、各保持器４０の両末端の各凸部４１の形は、各エンドカバー３４（３２）のフレーム３４５の両収納溝３４２、３４２’と同じように設置される。各凸部４１が対応する収納溝３４２（３４２’）の斜溝部３４３（３４３’）は、斜凸部４２を形成し、各斜凸部４２が対応する斜溝部３４３に密接可能で、かつ収納溝３４２（３４２’）の係止溝部３４４（３４４’）に対応する部位は、突出する係止ブロック部４３を形成する。各係止ブロック部４３が対応する係止溝部３４４（３４４’）に嵌入され、各保持器４０が脱落しなくなるように、各係止ブロック部４３を半球状に形成することができる。
【０００９】
図７を合わせて参照して説明すると、本発明のボール２１および保持器４０の組付けは、両スクレーパ３１、３５、両エンドカバー３２、３４、スライダ３０の順序に一体に組み付けた後、横に倒して、さらに、ボール２１をスライダ３０の回転路内に逐一に入れさせる。さらに、この各保持器４０の両末端の凸部４１を同時に両スライダ３０のフレーム３４５の入口３４１により下から上方向に入れさせ、その一つの保持器４０が左側へ収納溝３４２内に入れられ、他の保持器４０が右側へ収納溝３４２’内に入れられる。各保持器４０の案内部４４がスライダ３０と対応する回転路３０１、３０２の間は、ボール２１がその間を回転することができる。また、図８を参照するように、保持器４０の案内部４４と対応する回転路３０１間の距離Ｌは、ボール２１の直径Ｄより小さく形成されているので、ボール２１が脱落しなくなる。さらに、各保持器４０は、その係止部４３を半球状に形成することで、各凸部４１が収納溝３４２（３４２’）の進入または退出しやすくなり、各保持器４０の取り付け取り外し便利になる。
【実施例２】
【００１０】
図９、図１０Ａ、Ｂは本発明の保持器の他の実施例を示す。各保持器５０は長条状ブロック体を成し、保持器５０がスライダ３０の回転路３０１、３０２に対応する長い側辺は、円弧面の案内部５４を形成する。その両末端にそれぞれ突出した凸部５１を形成して各凸部５１の一端と保持器５０の本体の間に間隙５６を設け、この端をやや上下移動できる可動端５７を形成して可動端５７の前側が下方向に延伸する係止ブロック部５３が形成される。この係止ブロック部５３は楔形で、係止ブロック部５３の後側にさらに下方向に延伸するプッチュブロック５５が形成され、凸部５１の他端が斜ブロック部５２に形成される。各保持器５０の両末端の凸部５１は同時に両スライダ３０のフレーム３４５の入口３４１により下から上方向に入ることができ、また、その内の一つの保持器５０が左側方向へ収納溝３４２内に入れられ、他の保持器５０が右側方向へ収納溝３４２’に入れられる。各保持器５０の各斜ブロック部５２は、対応する斜溝部３４３（３４３’）に密接可能で、かつ各保持器５０の係止ブロック部５３が対応する係止溝部３４４（３４４’）に嵌入されることで、各保持器５０が脱落しなくなる。さらに、各保持器５０の案内部５４がスライダ３０に対応する回転路３０１、３０２の間は、ボールがその間を回転することができ、その内、プッシュブロック５５はスライダ３０のフレーム３４５の外側に位置され、手動によりこのプッシュブロック５５まで当接させ、その押し力によりプッシュブロック５５を上方向へ行くに連れて、共に係止ブロック部５３を係止溝部３４４（３４４’）から離脱させ、保持器５０を取り外すことができる。以上の説明により、本発明が以下の利点を備えている。
【００１１】
本発明の保持器４０、５０は、剛性の優れた材質を選用して製作でき、材質の変形し難い特性により、ボールを導正するにより大きい回転効果が発揮できる。
本発明の保持器４０、５０は、取り付け、取り外しやすく、ボールが損耗されてもボールの交換しやすくなる。
【００１２】
前記を総じて、本発明は、実用性及び進歩性を確実に備え、かつ国内外の全ての文献を検索しても、これに同一又は近似するものはなまったため、本発明が特許法に係る発明の要件に確実に合致しているため、法により出願を提出する。
【図面の簡単な説明】
【００１３】
【図１】従来の保持器の上面図。
【図２Ａ】従来の保持器にボールを取り付けたときの動作見取図。
【図２Ｂ】従来の保持器にボールを取り付けたときの動作見取図。
【図２Ｃ】従来の保持器にボールを取り付けたときの動作見取図。
【図３】本発明の立体分解図。
【図４】本発明の立体組付図。
【図５Ａ】本発明の保持器をエンドカバーに取り付ける動作見取図。
【図５Ｂ】本発明の保持器をエンドカバーに取り付ける動作見取図。
【図６】エンドカバーの立体外観図。
【図７】本発明においてボールおよび保持器を取り付ける立体見取図。
【図８】図４のＡ−Ａの断面見取図。
【図９】本発明の保持器におけるその他の実施例の立体図。
【図１０Ａ】本発明におけるそ他の実施例の保持器をエンドカバーに取り付ける動作見取図。
【図１０Ｂ】本発明におけるそ他の実施例の保持器をエンドカバーに取り付ける動作見取図。
【符号の説明】
【００１４】
１０    保持器                      １０１    凸条
１０２    凸条                          １１    くり貫け部
１２    くり貫け部                    １３    溝孔
１４    通孔                          １５    通孔
１６    案内部                        １７    案内部
１８    引掛ブロック                  １９    引掛ブロック
２０    スライダ                      ２１    ボール
３０    スライダ                    ３０１    回転路
３０２    回転路                        ３１    スクレーパ
３２    エンドカバー                ３２１    入口
３３    還流素子                      ３４    エンドカバー
３４１    入口                        ３４２    収納溝
３４３    斜溝部                      ３４４    係止溝部
３４２’    収納溝                    ３４３’    斜溝部
３４４’    係止溝部                  ３４５    フレーム
３５    スクレーパ                    ４０    保持器
４１    凸部                          ４２    斜ブロック部
４３    係止ブロック部                ４４    案内部
５０    保持器                        ５１    凸部
５２    斜ブロック部                  ５３    係止ブロック部
５４    案内部                        ５５    プッシュブロック
５６    間隙                          ５７    可動端
６０    スライドウェイ
【図１】
2008128309.tif 000003
【図２Ａ】
2008128309.tif 000004
【図２Ｂ】
2008128309.tif 000005
【図２Ｃ】
2008128309.tif 000006
【図３】
2008128309.tif 000007
【図４】
2008128309.tif 000008
【図５Ａ】
2008128309.tif 000009
【図５Ｂ】
2008128309.tif 000010
【図６】
2008128309.tif 000011
【図７】
2008128309.tif 000012
【図８】
2008128309.tif 000013
【図９】
2008128309.tif 000014
【図１０Ａ】
2008128309.tif 000015
【図１０Ｂ】
2008128309.tif 000016